(57)【特許請求の範囲】
【請求項１】
釣り糸を巻き取る釣り用リールであって、
リール本体と、
前記リール本体に装着されるスプール軸と、
前記スプール軸に回転可能に支持され、前記スプール軸が挿通される貫通孔を有する糸巻き用のスプールと、
基端部が前記貫通孔に係止され、先端部が前記スプールの外周部に露出して配置され、前記先端部と前記スプールの外周部との間で前記釣り糸を挟持可能な釣糸係止部と、
前記スプールの前記貫通孔に圧入固定される筒状の筒状部材と、
前記スプール軸と前記筒状部材との間に配置される軸受部材と、
を備えた釣り用リール。
【請求項２】
前記筒状部材は、内周部に前記軸受部材が配置される本体筒部と、前記本体筒部の一端に設けられ前記軸受部材の一端が接触可能な抜け止め部とを有している、請求項１に記載の釣り用リール。
【請求項３】
前記抜け止め部は、前記本体筒部の一端内周部に突出して一体成形された環状部である、請求項２に記載の釣り用リール。
【請求項４】
前記スプールは、外周に前記釣り糸が巻き付けられ内周に前記貫通孔を有する筒状の糸巻胴部と、前記糸巻胴部の一端に径方向外方に突出して設けられ径方向に沿って前記釣糸係止部が装着される第１フランジ部と、前記糸巻胴部の他端に径方向外方に突出して設けられた第２フランジ部とを有しており、
前記貫通孔は、前記第１フランジ部側に開口し、前記第１フランジ部側の開口から装着された前記筒状部材が圧入固定される第１凹部を有している、請求項１から３のいずれか１項に記載の釣り用リール。
【請求項５】
前記貫通孔は、前記第２フランジ部側に開口する第２凹部をさらに有し、
前記第１凹部は、前記第２凹部より大径になるように形成されている、請求項４に記載の釣り用リール。
【発明の詳細な説明】
【技術分野】
【０００１】
本発明は、釣り用リール、特に、釣り糸を巻き取る釣り用リールに関する。
【背景技術】
【０００２】
釣り用リールは、たとえば、氷結した湖上やドーム船上からワカサギ等の小魚を釣るときに使用される小型の電動リールが知られている。この種の電動リールは、ティップと呼ばれる比較的短く弾力性のある釣竿が装着されるリール本体と、リール本体に配置され釣り糸を巻き取るスプールと、スプールを回転させるモータと、リール本体の側部に配置されモータの駆動をオン、オフするスイッチ操作部とを備えている。このような電動リールでは、操作スイッチをオン操作することによりモータを駆動してスプールを回転させることによって釣り糸を巻き取る。
【０００３】
このような電動リールでは、現在の棚位置を記憶するために、釣り糸をスプールの外周部に装着されたラインストッパー（釣糸係止部）に係止することがある（たとえば、非特許文献１参照）。ここでは、釣糸係止部に釣り糸を係止しておくことによって、次回仕掛けを投入するときに、前回の棚位置まで釣り糸を繰り出すことができる。
【先行技術文献】
【非特許文献】
【０００４】
【非特許文献１】インターネット＜ＵＲＬ：ｈｔｔｐ：／／ｗｗｗ．ｙｅｔｙ．ｊｐ／ｉｎｄｅｘ．ｈｔｍｌ＞
【発明の概要】
【発明が解決しようとする課題】
【０００５】
前記従来の釣糸係止部は、基端部がスプールの内周部にねじ部材によって装着固定されているので、特に小型のスプールの場合には、ねじ止めのスペースを確保したり、小さい釣糸係止部を組み付けた状態で小さいねじ部材を取り付けるのは非常に困難である。
【０００６】
そこで、このような問題を解決するために、釣糸係止部の基端部をスプールの貫通孔に係止し、軸受部材をスプールの貫通孔に圧入固定することによって、釣糸係止部をスプールに装着固定することが考えられる。ここでは、従来のように釣糸係止部をスプールに装着固定するためにねじ部材を取り付ける必要がなくなる。
【０００７】
しかし、釣糸係止部の基端部をスプールの貫通孔に係止し、軸受部材をスプールの貫通孔に圧入固定すると、釣糸係止部の基端部が軸受部材の外周部と直接接触することになるので、釣糸係止部の基端部が軸受部材の外周部を押圧する付勢力が作用する。このように、釣糸係止部の基端部が軸受部材の外周部を押圧する付勢力が作用すると、特に、軸受部材の一部分に付勢力が作用すると、軸受部材が傾いて、スプールの滑らかな回転を阻害するおそれが生じる。
【０００８】
本発明の課題は、釣り用リールにおいて、スプールの滑らかな回転を維持できるようにすることにある。
【課題を解決するための手段】
【０００９】
発明１に係る釣り用リールは、釣り糸を巻き取る釣り用リールであって、リール本体と、スプール軸と、スプールと、釣糸係止部と、筒状部材と、軸受部材とを備えている。スプール軸は、記リール本体に装着されている。スプールは、スプール軸に回転可能に支持され、スプール軸が挿通される貫通孔を有する糸巻き用の部材である。釣糸係止部は、基端部が貫通孔に係止され、先端部がスプールの外周部に露出して配置され、先端部とスプールの外周部との間で釣り糸を挟持可能な部材である。筒状部材は、スプールの貫通孔に圧入固定される筒状の部材である。軸受部材は、スプール軸と筒状部材との間に配置されている。
【００１０】
この釣り用リールでは、釣糸係止部は、基端部がスプールの貫通孔に係止され、筒状部材は、スプールの貫通孔に圧入固定され、軸受部材は、スプール軸と筒状部材との間に配置されている。ここでは、釣糸係止部の基端部がスプールの貫通孔に係止され、軸受部材の外周部に配置された筒状部材がスプールの貫通孔に圧入固定されているので、釣糸係止部の基端部が軸受部材の外周部と直接接触することがなくなる。ここでは、釣糸係止部の基端部が軸受部材の外周部と直接接触していないので、釣糸係止部の基端部が筒状部材の一部分に付勢力が作用したとしても、軸受部材の一部分に付勢力が作用しにくくなる。したがって、軸受部材の一部分に付勢力が作用しにくくなることで、軸受部材が傾きにくくなるので、スプールの滑らかな回転を維持することができる。
【００１１】
発明２に係る釣り用リールは、発明１の釣り用リールにおいて、筒状部材は、内周部に軸受部材が配置される本体筒部と、本体筒部の一端に設けられ軸受部材の一端が接触可能な抜け止め部とを有している。この場合、軸受部材を筒状部材に対して軸方向に抜け止めできるので、軸受部材を装着した状態で筒状部材をスプールの貫通孔に着脱することで、組立性を向上できる。
【００１２】
発明３に係る釣り用リールは、発明２の釣り用リールにおいて、抜け止め部は、本体筒部の一端内周部に突出して一体成形された環状部である。この場合、筒状部材の径方向の強度を向上できる。
【００１３】
発明４に係る釣り用リールは、発明１から３のいずれかの釣り用リールにおいて、スプールは、外周に前記釣り糸が巻き付けられ内周に貫通孔を有する筒状の糸巻胴部と、糸巻胴部の一端に径方向外方に突出して設けられ径方向に沿って釣糸係止部が装着される第１フランジ部と、糸巻胴部の他端に径方向外方に突出して設けられた第２フランジ部とを有している。貫通孔は、第１フランジ部側に開口し、第１フランジ部側の開口から装着された筒状部材が圧入固定される第１凹部を有している。この場合、釣糸係止部は、基端部がスプールの第１凹部に係止され、筒状部材は、スプールの第１凹部に圧入固定されるので、スプールの滑らかな回転を維持できる。
【００１４】
発明５に係る釣り用リールは、発明４の釣り用リールにおいて、貫通孔は、第２フランジ部側に開口する第２凹部をさらに有している。第１凹部は、第２凹部より大径になるように形成されている。この場合、筒状部材の内周部に装着される軸受部材と外径が同一の軸受部材を第２凹部の内周部に装着しても、第１凹部に筒状部材を装着できる。
【発明の効果】
【００１５】
本発明によれば、釣り用リールにおいて、釣糸係止部は、基端部がスプールの貫通孔に係止され、筒状部材は、スプールの貫通孔に圧入固定され、軸受部材は、スプール軸と筒状部材との間に配置されているので、スプールの滑らかな回転を維持できる。
【図面の簡単な説明】
【００１６】
【図１】本発明の一実施形態を採用した電動リールの平面図。
【図２】前記電動リールの右側面図。
【図３】前記電動リールを前方から見たときの斜視図。
【図４】前記電動リールの制御ブロック図。
【図５】前記スプールの分解斜視図。
【図６】釣糸係止部装着部を装着したときの前記スプールの拡大断面図。
【図７】前記釣糸係止部装着部、第１軸受部材、カラー部材、筒状部材、第２軸受部材及びスプール軸を装着したときの前記スプールの拡大断面図。
【発明を実施するための形態】
【００１７】
本発明の一実施形態が採用された電動リールは、図１から図３に示すように、たとえば、氷結した湖上やドーム船上からワカサギ等の小魚を釣るときに使用される小型の電動リールである。この電動リールは、ティップと呼ばれる比較的短く弾力性のある釣竿Ｒが前部に装着されるリール本体１と、リール本体１の右上前部に配置され釣り糸を巻き取るスプール２と、リール本体１の内部に配置されスプール２を回転させるモータ３（図４参照）と、リール本体１の右側部及び左側部に配置されモータ３の駆動をオン、オフする第１スイッチ操作部４及び第２スイッチ操作部５と、リール本体１の上面に配置され各種の情報を表示する表示部６と、リール本体１の上面の表示部６の後部に配置されスイッチモード等の切り換え設定を行う第３スイッチ操作部７及び第４スイッチ操作部８と、リール本体１の上面の表示部６の前部に配置されモータ３のスプール２への回転伝達をオン、オフするクラッチ操作部９とを備えている。また、リール本体１の前部には、釣竿Ｒが装着される筒状に突出した釣竿装着部１ａが形成されており、釣竿装着部１ａ及び釣竿Ｒの基端部外周には、釣り糸に設けられたストッパが接触して釣り糸の巻き取りを停止させるストッパガイド１０が着脱自在に装着されている。このような電動リールでは、第１スイッチ操作部４及び第２スイッチ操作部５をオン操作することによりモータ３を駆動してスプール２を回転させることによって釣り糸を巻き取る。なお、この電動リールでは、釣り糸の巻き取りはモータ３の駆動のみによってスプール２を回転させることによって行われ、スプール２を手動で回転させるハンドル等を備えていない。
【００１８】
リール本体１は、図１から図３に示すように、全体を片手で把持可能な大きさとなるように形成され、合成樹脂製の複数のケース部材を組み立てることによって形成された内部に収納空間を有する前後に長い筐状部材である。リール本体１は、図１から図３に示すように、右下前部から前方に突出し釣竿Ｒが装着される円筒状の釣竿装着部１ａと、右上前部が他の部分より凹んで形成されスプール２が配置されるスプール収納凹部１ｂとを有している。
【００１９】
スプール２は、図１から図３に示すように、リール本体１の右上前部が他の部分より凹んで形成されたスプール収納凹部１ｂの側部に装着されたスプール軸１１（図７参照）に回転可能に支持され、全体がスプール収納凹部１ｂ内に配置されている。
【００２０】
スプール２は、図５及び図６に示すように、外周に釣り糸が巻き付けられる筒状の糸巻胴部２ａと、糸巻胴部２ａの一端に径方向外方に突出して設けられた第１フランジ部２ｂと、糸巻胴部２ａの他端に径方向外方に突出して設けられた第２フランジ部２ｃと、糸巻胴部２ａの内周部を貫通しスプール軸１１（図７参照）が挿通される貫通孔２ｅと、第１フランジ部２ｂの径方向に沿って外周部と貫通孔２ｅとを連通するように形成され釣糸係止部２０が装着される装着溝２ｄとを有している。
【００２１】
糸巻胴部２ａは、図５から図７に示すように、スプール軸１１よりやや大径の筒状部材である。第１フランジ部２ｂのスプール収納凹部１ｂの側部対向面には、図５に示すように、２つのマグネット２６が接着固定されている。２つのマグネット２６は、リール本体１の内部に装着された図示しないリードスイッチと対向する位置に配置され、スプール２の回転数を検出するためのものである。
【００２２】
貫通孔２ｅは、図６及び図７に示すように、第１フランジ部２ｂ側に開口し第１フランジ部２ｂ側の開口から装着された筒状部材２７が圧入固定される第１凹部２ｆと、第２フランジ部２ｃ側に開口し第２フランジ部２ｃ側の開口から装着された第２軸受部材２２が圧入固定される第２凹部２ｇとを有している。第１凹部２ｆ及び第２凹部２ｇは、貫通孔２ｅの中央部分より大径になるように形成された環状凹部であって、第１凹部２ｆは、第２凹部２ｇより大径になるように形成されている。第１凹部２ｆは、図６に示すように、釣糸係止部２０の基端部２０ｂを第１凹部２ｆに係止した後に、第１フランジ部２ｂ側の開口から内周部に第１軸受部材２１が装着された状態の筒状部材２７が圧入固定されている。第２凹部２ｇは、図６に示すように、第２フランジ部２ｃ側の開口からカラー部材２３が装着された後に、第２フランジ部２ｃ側の開口から第２軸受部材２２が圧入固定されている。
【００２３】
第１軸受部材２１は、図５及び図７に示すように、内周部がスプール軸１１を支持する内輪２１ａと、外周部が筒状部材２７の内周部に装着される外輪２１ｂと、内輪２１ａと外輪２１ｂとの間に配置された転動体２１ｃとを有する玉軸受である。第２軸受部材２２は、図５及び図７に示すように、内周部がスプール軸１１を支持する内輪２２ａと、外周部が第２凹部２ｇの内周部に装着される外輪２２ｂと、内輪２２ａと外輪２２ｂとの間に配置された転動体２２ｃとを有する玉軸受である。第１軸受部材２１及び第２軸受部材２２は、外径及び内径が同一の玉軸受である。第１軸受部材２１は、スプール軸１１と筒状部材２７との間に配置され、第２軸受部材２２は、スプール軸１１と第２凹部２ｇとの間に配置されている。
【００２４】
筒状部材２７は、図５及び図７に示すように、第１凹部２ｆに圧入固定される筒状の部材であって、内周部に第１軸受部材２１が装着される本体筒部２７ａと、本体筒部２７ａの一端（図７左側端部）に設けられ第１軸受部材２１の一端（図７左側端部）が接触可能な抜け止め部２７ｂとを有している。抜け止め部２７ｂは、本体筒部２７ａの一端内周部に突出して一体成形された環状部である。抜け止め部２７ｂは、第１軸受部材２１を筒状部材２７に対して軸方向に抜け止めするためのものであって、第１軸受部材２１を筒状部材２７に装着した状態で、筒状部材２７を第１凹部２ｆに着脱可能である。
【００２５】
カラー部材２３は、図７に示すように、第１軸受部材２１と第２軸受部材２２との間に配置されるスペーサであって、内周部にスプール軸１１が挿通される筒状部材である。スプール軸１１の先端部には、図５に示すように、ナット部材２４がねじ込まれ、Ｏリング２５によって緩み止めされている。
【００２６】
釣糸係止部２０は、図１から図３、図５から図７に示すように、基端部２０ｂがスプール２の第１凹部２ｆに係止され、先端部２０ｃがスプール２の第１フランジ部２ｂの外周部に露出して配置され、先端部２０ｃとスプール２の第１フランジ部２ｂの外周部との間で釣り糸を挟持可能な金属製の線材部材である。釣糸係止部２０は、図２、図３及び図５に示すように、１本の線材部材を折り曲げて２本の線材形状となるように形成されており、同一形状のものを３つ備えており、３つの釣糸係止部２０が等間隔に配置された３箇所の装着溝２ｄに装着されている。釣糸係止部２０は、図６に示すように、装着溝２ｄに装着される本体部２０ａと、本体部２０ａの基端側に一体成形された基端部２０ｂと、本体部２０ａの先端側に一体成形された先端部２０ｃとを有している。本体部２０ａは、装着溝２ｄに装着される直線状の部分であって、装着溝２ｄに接着固定される。基端部２０ｂは、第１フランジ部２ｂの装着溝２ｄから第１凹部２ｆの一部が釣糸係止部２０の厚み程度凹んで形成された凹み部２ｈに沿って折り曲げられており、これによって、釣糸係止部２０の基端部２０ｂは、第１凹部２ｆに係止される。先端部２０ｃは、第１フランジ部２ｂの装着溝２ｄから第１フランジ部２ｂの外縁部に沿って折れ曲がるように形成されている。先端部２０ｃと第１フランジ部２ｂの外周部との間には僅かな隙間が生成されており、この隙間に釣り糸を挟持可能である。
【００２７】
このようなスプール２及び釣糸係止部２０を組み立てるには、まず、１本の線材部材を折り曲げて２本の線材形状となるように形成し、先端部２０ｃを第１フランジ部２ｂの装着溝２ｄから第１フランジ部２ｂの外縁部に沿う形状になるように折り曲げ、基端部２０ｂを第１フランジ部２ｂの装着溝２ｄから第１凹部２ｆの凹み部２ｈに沿う形状になるように予め折り曲げた釣糸係止部２０を用意する。この状態で、図６に示すように、釣糸係止部２０の基端部２０ｂ及び本体部２０ａを第１フランジ部２ｂの装着溝２ｄに装着し、釣糸係止部２０の基端部２０ｂを第１凹部２ｆに係止する。次に、第１フランジ部２ｂの装着溝２ｄに装着された釣糸係止部２０の本体部２０ａを接着剤により固定する。そして、第１フランジ部２ｂ側の開口から内周部に第１軸受部材２１を筒状部材２７に装着した状態で、筒状部材２７を第１凹部２ｆに圧入固定し、第２フランジ部２ｃ側の開口からカラー部材２３を装着した後に、第２フランジ部２ｃ側の開口から第２軸受部材２２を第２凹部２ｇに圧入固定する。次に、スプール軸１１を第２軸受部材２２、カラー部材２３、第１軸受部材２１の順に挿通させ、スプール軸１１の先端部のねじ部にナット部材２４のねじ孔を螺合することによって、スプール２はスプール軸１１に回転可能に支持される。
【００２８】
モータ３（図４参照）は、リール本体１の内部に配置され、モータ３の回転をスプール軸１１に伝達することによって、スプール２を回転させる。この回転伝達機構内には、図示しないクラッチ機構を有しており、クラッチ操作部９（図１参照）のオン、オフ操作によって、回転伝達がオン、オフされる。
【００２９】
第１スイッチ操作部４は、図１から図３に示すように、リール本体１の右側部に配置され、モータ３の駆動をオン、オフするスイッチである。第２スイッチ操作部５は、図１に示すように、リール本体１の左側部に配置されモータ３の駆動をオン、オフするスイッチである。第１スイッチ操作部４及び第２スイッチ操作部５は、図１に示すように、それぞれリール本体１の左右側部の対称となる位置に配置されている。リール本体１は、全体を片手で把持可能な大きさとなるように形成されている。第１スイッチ操作部４及び第２スイッチ操作部５は、それぞれ親指又は人差し指で操作可能なリール本体の左右側部に配置されている。具体的には、左手で操作する場合には、第１スイッチ操作部４を親指で操作可能であり、第２スイッチ操作部５を人差し指で操作可能である。また、右手で操作する場合には、第１スイッチ操作部４を人差し指で操作可能であり、第２スイッチ操作部５を親指で操作可能である。このような第１スイッチ操作部４及び第２スイッチ操作部５には、モータ３の駆動をさせるスイッチモードとして、寸動スイッチモードと連続スイッチモードとの２つのスイッチモードが割り当てられている。具体的には、寸動スイッチモードは、第１スイッチ操作部４又は第２スイッチ操作部５がオン操作されているときのみモータ３を回転させ、第１スイッチ操作部４又は第２スイッチ操作部５がオン操作されていないときモータ３を停止させるスイッチモードである。また、連続スイッチモードは、第１スイッチ操作部４又は第２スイッチ操作部５が１回オン操作されたときにモータ３を回転させ、第１スイッチ操作部４又は第２スイッチ操作部５が再度１回オン操作されたときにモータ３を停止させるスイッチモードである。そして、第３スイッチ操作部７及び第４スイッチ操作部８を同時押しすることによって、リール本体１右側部に配置された第１スイッチ操作部４及びリール本体１左側部に配置された第２スイッチ操作部５に割り振られた寸動スイッチモード及び連続スイッチモードを逆に切り換えるようになっている。このようなスイッチモードの切り換えは、後述するリール制御部３０（図４参照）が第３スイッチ操作部７及び第４スイッチ操作部８を同時押しを検出すると、リール制御部３０が第１スイッチ操作部４及び第２スイッチ操作部５に寸動スイッチモード又は連続スイッチモードの機能を割り当てる制御を行うことによって、スイッチモードを切り換えている。
【００３０】
表示部６は、図１に示すように、リール本体１の上面に配置され、各種の情報を表示するセグメント方式の液晶ディスプレイであって、クラッチ操作部９と第３スイッチ操作部７及び第４スイッチ操作部８との間に配置されている。
【００３１】
第３スイッチ操作部７及び第４スイッチ操作部８は、図１に示すように、リール本体１の上面に配置されスイッチモード等の切り換え設定を行うスイッチである。第３スイッチ操作部７及び第４スイッチ操作部８は、表示部の後部に配置され、右側に第３スイッチ操作部７が位置し、左側に第４スイッチ操作部８が位置するように並べて配置されている。ここでは、第３スイッチ操作部７及び第４スイッチ操作部８を同時押しすることによって、リール本体１右側部に配置された第１スイッチ操作部４及びリール本体１左側部に配置された第２スイッチ操作部５に割り振られた寸動スイッチモード及び連続スイッチモードを逆に切り換える。
【００３２】
リール本体１の内部には、ＣＰＵ、ＲＡＭ、ＲＯＭ、Ｉ／Ｏインターフェイス等を含むマイクロコンピュータを含むリール制御部３０（図４参照）が配置されている。リール制御部３０は、図４に示すように、第１スイッチ操作部４、第２スイッチ操作部５、第３スイッチ操作部７及び第４スイッチ操作部８の各種のスイッチ操作部と、スプール２の回転方向及び回転数（回転位置データ）を検出するためのスプールセンサ４１及びスプールカウンタ４２と、モータ３に流れる電流値を検出する電流値検出部４４と、制御プログラムに従ってモータ３の駆動制御を行うモータ制御部３１と、表示部６の表示制御を行う表示制御部３２と、各種のデータを記憶する記憶部４３と、他の入出力部とが接続されている。スプールセンサ４１は、前後に並べて配置された２つのリードスイッチから構成されている。リードスイッチは、スプール２に装着された２個のマグネット２６を検出する。この検出パルスをスプールカウンタ４２で計数することでスプール２の回転数を検出できる。また、いずれのリードスイッチが先に検出パルスを発したかによりスプール２の回転方向を検出できる。スプールカウンタ４２は、スプールセンサ４１のオンオフ回数を計数するカウンタであり、この計数値によりスプール回転数に関する回転位置データが得られる。スプールカウンタ４２は、スプール２が正転（糸繰り出し方向の回転）すると計数値が減少し、逆転すると増加する。記憶部４３はたとえばＥＥＰＲＯＭ等の不揮発メモリからなり、学習結果のデータや糸長算出時に使用する各種のデータ等が記憶されている。電流値検出部４４は、モータ３に流れる電流値を検出する電流計測センサである。モータ制御部３１は、スプール２の回転数に応じた所定の位置（たとえば仕掛けＨが釣竿Ｒの先端部位置、すなわち船縁位置）自動的にモータ３の駆動を停止して釣り糸の巻き取りを停止させる船縁停止機能を実現させている。具体的には、モータ制御部３１は、スプールカウンタ４２により検出されたスプール２の回転数が予め設定されたモータ３の駆動を停止させるスプール２の回転数から所定の範囲（たとえば船縁停止位置から所定の距離）内にあるとき、電流値検出部４４により検出されたモータ３に流れる電流に応じて、モータ３の駆動を停止する制御を行う。
【００３３】
この電動リールでは、釣糸係止部２０は、基端部２０ｂがスプール２の第１凹部２ｆに係止され、筒状部材２７は、スプール２の第１凹部２ｆに圧入固定され、第１軸受部材２１は、スプール軸１１と筒状部材２７との間に配置されている。ここでは、釣糸係止部２０の基端部２０ｂがスプール２の第１凹部２ｆに係止され、第１軸受部材２１の外周部に配置された筒状部材２７がスプール２の第１凹部２ｆに圧入固定されているので、釣糸係止部２０の基端部２０ｂが第１軸受部材２１の外周部と直接接触することがなくなる。ここでは、釣糸係止部２０の基端部２０ｂが第１軸受部材２１の外周部と直接接触していないので、釣糸係止部２０の基端部２０ｂが筒状部材２７の一部分に付勢力が作用したとしても、第１軸受部材２１の一部分に付勢力が作用しにくくなる。したがって、第１軸受部材２１の一部分に付勢力が作用しにくくなることで、第１軸受部材２１が傾きにくくなるので、スプール２の滑らかな回転を維持することができる。
【００３４】
〔他の実施形態〕
（ａ）  前記実施形態では、ワカサギ等の小魚を釣るときに使用される小型の電動リールを例にあげたが、電動リールの大きさや形状はこれに限定されるものではない。また、釣竿Ｒは、比較的短い長さの弾力性のあるティップであったが、釣竿Ｒの長さや形状はこれに限定されるものではない。
【００３５】
（ｂ）  前記実施形態では、電動リールのスプール２を例にあげたが、手巻きの両軸受リールのスプールのスプールにも本発明を適用できる。
【００３６】
（ｃ）  前記実施形態では、３つの釣糸係止部２０は、等間隔に配置された３箇所の装着溝２ｄに装着されていたが、釣糸係止部２０及び装着溝２ｄの数や配置はこれに限定されるものではない。
【００３７】
（ｄ）  前記実施形態では、筒状部材２７は、本体筒部２７ａと抜け止め部２７ｂとを有していたが、抜け止め部２７ｂを設けないで本体筒部２７ａのみで構成してもよい。
【符号の説明】
【００３８】
１  リール本体
１ａ  釣竿装着部
１ｂ  スプール収納凹部
２  スプール
２ａ  糸巻胴部
２ｂ  第１フランジ部
２ｃ  第２フランジ部
２ｄ  装着溝
２ｅ  貫通孔
２ｆ  第１凹部
２ｇ  第２凹部
２ｈ  凹み部
３  モータ
４  第１スイッチ操作部
５  第２スイッチ操作部
６  表示部
７  第３スイッチ操作部
８  第４スイッチ操作部
９  クラッチ操作部
１０  ストッパガイド
１１  スプール軸
２０  釣糸係止部
２０ａ  本体部
２０ｂ  基端部
２０ｃ  先端部
２１  第１軸受部材
２１ａ  内輪
２１ｂ  外輪
２１ｃ  転動体
２２  第２軸受部材
２２ａ  内輪
２２ｂ  外輪
２２ｃ  転動体
２３  カラー部材
２４  ナット部材
２５  Ｏリング
２６  マグネット
２７  筒状部材
２７ａ  本体筒部
２７ｂ  抜け止め部
３０  リール制御部
３１  モータ制御部
３２  表示制御部
４１  スプールセンサ
４２  スプールカウンタ
４３  記憶部
４４  電流値検出部
Ｒ  釣竿
【図１】
0005736267.tif 000002
【図２】
0005736267.tif 000003
【図３】
0005736267.tif 000004
【図４】
0005736267.tif 000005
【図５】
0005736267.tif 000006
【図６】
0005736267.tif 000007
【図７】
0005736267.tif 000008